(57)【特許請求の範囲】
【請求項１】
前部に集塵装置収納室が形成され、後部に電動送風機を収納する電動送風機室を有する掃除機本体と、該掃除機本体前方に形成され、ホースが着脱自在に接続される吸込口と、前記集塵装置収納室に着脱自在に装着される集塵装置とを備え、
前記集塵装置収納室には、背面に吸引口を形成されると共に、底面に接続口が形成され、
前記掃除機本体内には、前記掃除機本体前方に形成された吸込口から前記集塵装置収納室底面の接続口に至る吸塵路が形成され、
前記集塵装置は、前記集塵装置収納室底面の接続口と接続する接続口が形成される集塵ケースと、該集塵ケース内に装着されるフィルターと、前記集塵ケースの上面側に形成される開口部を閉塞し、前記フィルターを通過した空気が通過する排出口を有する蓋体とを有すると共に、集塵装置収納室への収納状態で、蓋体が後方上部に向くように傾斜して装着されることを特徴とする電気掃除機。
【請求項２】
前記電動送風機は、吸気口を上方に向けて電動送風機室内に収納されることを特徴とする請求項１記載の電気掃除機。
【発明の詳細な説明】
【技術分野】
【０００１】
本発明は、電気掃除機に関わり、特に集塵装置を着脱自在に形成した電気掃除機の改良に関する。
【背景技術】
【０００２】
従来、集塵装置を掃除機本体に着脱自在に装着する電気掃除機として、集塵装置を、塵埃排出用開口部を上方に向けた状態で集塵装置室に着脱自在に装着する電気掃除機が知られている。この電気掃除機の集塵装置は、上部の塵埃排出用開口部近傍位置に吸込口が形成され、塵埃排出用開口部を開閉自在に閉塞する蓋体の中央位置に排出口が形成されており、吸込口から吸引された塵埃等を含む空気から集塵装置内の塵埃分離装置により塵埃等を分離し、空気のみを排出口から電動送風機を介して掃除機本体の排気口から外部に排出するようになっている。（特許文献１）
【特許文献１】特表平１０−５１２７７９号公報（Ａ４７Ｌ  ５／３６）  この電気掃除機の集塵装置は、塵埃排出用開口部が斜め上方に向けられた状態で着脱されるため、集塵装置内の塵埃が集塵装置の着脱操作時に塵埃排出用開口からこぼれにくく、集塵装置の着脱操作性を向上できるものであった。
【０００３】
しかしながら、掃除機本体内に収納される電動送風機は、電動送風機の軸方向を掃除機本体の前後方向に向けられて電動送風機の吸気口が前方に向けられて装着されており、集塵装置の排出口から電動送風機の吸気口への送風路が屈曲し、通気抵抗が増大して吸塵効率が低下すると共に、送風路の構成が複雑化する問題があった。
【発明の開示】
【発明が解決しようとする課題】
【０００４】
本発明は、上記問題点を解決するためになされたもので、送風路の構成を簡素化して吸塵効率を向上し得る電気掃除機を提供することを課題とする。
【課題を解決するための手段】
【０００５】
本発明は、前部に集塵装置収納室が形成され、後部に電動送風機を収納する電動送風機室を有する掃除機本体と、該掃除機本体前方に形成され、ホースが着脱自在に接続される吸込口と、前記集塵装置収納室に着脱自在に装着される集塵装置とを備え、前記集塵装置収納室には、背面に吸引口を形成されると共に、底面に接続口が形成され、前記掃除機本体内には、前記掃除機本体前方に形成された吸込口から前記集塵装置収納室底面の接続口に至る吸塵路が形成され、前記集塵装置は、前記集塵装置収納室底面の接続口と接続する接続口が形成される集塵ケースと、該集塵ケース内に装着されるフィルターと、前記集塵ケースの上面側に形成される開口部を閉塞し、前記フィルターを通過した空気が通過する排出口を有する蓋体とを有すると共に、集塵装置収納室への収納状態で、蓋体が後方上部に向くように傾斜して装着されることを特徴とする。
【０００６】
前記電動送風機は、吸気口を上方に向けて電動送風機室内に収納されることが好ましい。
【発明の効果】
【００１０】
本発明の構成によれば、集塵装置の集塵装置収納室への装着作業を容易に行うことができ、装着作業性を向上することができる等の効果を奏する。
【発明を実施するための最良の形態】
【００１１】
１は掃除機本体で、上ケース２及び下ケース３から構成されている。４は前記掃除機本体１前方に形成される吸込口で、図示しない可撓性ホースが着脱自在に接続され、延長パイプを介して床用吸込具に連通するようになっている。５は前記掃除機本体１内後部に形成される電動送風機室で、電動送風機６が吸気口７を上方に向けて軸方向が略垂直となるように収納されている。８は前記掃除機本体１内後部に電動送風機室５と併設されるコードリール室で、図示しないコードリールが回転自在に収納されている。
【００１２】
９は前記掃除機本体１前部に凹設された集塵装置収納室で、後述する集塵装置20が上下方向に着脱自在となっている。前記集塵装置収納室９は、前側壁面が上方になるに従って前側になるように傾斜して形成され、後側壁面が略垂直に形成されて、集塵装置収納室９が上方になるに従って広くなるように形成されており、集塵装置20収納時、集塵装置20がスムーズに収納されるように案内するようになっている。
【００１３】
10は前記集塵装置収納室９前方底面に形成された接続口で、後述する集塵装置20の接続口41が気密に接続するようになっている。11は前記集塵装置収納室９の背面略中央部に形成された吸引口で、後述する集塵装置20の排出口44が気密に接続するようになっている。
【００１４】
12は前記吸込口４から接続口10へ至る吸塵路で、上ケース２及び下ケース３に一体形成されるリブ13、14により区画形成されている。15は前記掃除機本体１内に形成された吸引口11から電動送風機室５へ至る吸引路で、第１のカバー16及び第２のカバー17により区画形成されている。
【００１５】
18は前記掃除機本体１上方後部に形成された排気口で、フィルター19を有しており、電動送風機６の排気を、第１のカバー16及び第２のカバー17と掃除機本体１内壁面との間を介して外部へ排出するようになっている。
【００１６】
20は前記掃除機本体１の集塵装置収納室９に着脱自在に収納される集塵装置で、集塵装置収納室９への収納状態で、後述する蓋体24が後方上部に向くように傾斜して装着されるようになっている。
【００１７】
前記集塵装置20は、透明な合成樹脂にて形成された略円筒状の集塵ケース21と、該集塵ケース21内に回転自在に装着される円筒状の筒体22と、該筒体22の内側に集塵ケース21に着脱自在に装着されるメインフィルター23と、前記集塵ケース21の上面側に形成される塵埃排出用開口部を開閉自在に閉塞する蓋体24とから構成されている。
【００１８】
前記筒体22は、集塵ケース21の開口部と相対向する側面とメインフィルター23との間に回転自在に挟持され、メインフィルター23とともに集塵ケース21の開口部から取り外せるようになっている。前記筒体22には蓋体24側の略半分にメッシュ状のプレフィルター25が設けられると共に、外周略全体にわたり螺旋体26が設けられている。前記筒体22内側には、図示しない除塵体が設けられ、筒体22回転時に、メインフィルター23の後述する襞状先端部29を弾いてメインフィルター23に付着した塵埃を除塵するようになっている。
【００１９】
前記メインフィルター23は、係止片27により集塵ケース21の開口部と相対向する側面に係脱自在に係合している。前記メインフィルター23は、濾過された空気の通路となる筒状体28の外周に襞状に折り畳んだ不織布を筒状に配設して形成されており、襞状先端部29を合成樹脂にて硬化させて除塵体の接触による破損を防止している。
【００２０】
30は前記集塵装置20の掃除機本体１への装着状態における上方に位置する箇所に設けられた把手で、集塵装置20を掃除機本体１に係止する第１のクランプ34及び第２のクランプ37を有する取外操作機構31が設けられている。前記取外操作機構31は、操作レバー32と、操作レバー32に一体に形成され、掃除機本体１の係止部33に係脱自在に係合する第１のクランプ34と、前記操作レバー32に一体に形成されるアーム35により操作され、掃除機本体１の係止部36に係脱自在に係合する第２のクランプ37とから構成されている。
【００２１】
38は前記集塵ケース21の開口部と相対向する側面に設けられた筒体22を回転させる回転機構で、回転ハンドル39と、回転ハンドル39の回転を筒体22に伝達する歯車機構40とから構成されている。
【００２２】
41は前記集塵ケース21に設けられた接続口で、集塵装置20の掃除機本体１への装着状態で前部下方位置で、且つ集塵ケース21の中心に対して偏心した位置に形成されており、周縁に設けられたパッキン42によって、前記掃除機本体１の接続口10に気密に接続されるようになっている。また、接続口41には、常時接続口41を閉塞する方向に付勢され、集塵ケース21内側にのみ開放する図示しない弁体が設けられており、集塵ケース21内の塵埃等が接続口41から漏れるのを防止している。
【００２３】
43は前記集塵ケース21の把手30が形成された位置と相対向する位置に形成された蓋体24の係止用クランプである。
【００２４】
前記蓋体24には、略中央部分に排出口44が形成されており、該排出口44はメインフィルター23の筒状体28内に連通すると共に、集塵装置20の掃除機本体１への装着状態で、排出口44が掃除機本体１の吸引口11にパッキン45を介して気密に連通するようになっている。前記排出口44に設けられたパッキン45は、メインフィルター23の筒状体28に当接し、筒状体28と蓋体24との間からメインフィルター23の不織布を通過しない空気が電動送風機６に向かって流れるのを防止するようになっている。
【００２５】
46は前記蓋体24の排出口44外周位置に集塵ケース21内に向かって環状に形成された凹所で、前記筒体22が嵌合し、筒体22の回転による横ぶれを防止するようになっている。47は前記筒体22に設けられたパッキンで、蓋体24の凹所46外周に当接し、筒体22と蓋体24との間からプレフィルター25を通過しない空気がメインフィルター23に向かって流れるのを防止している。
【００２６】
而して、吸込口４に可撓性ホースを接続し、電動送風機６を駆動すると、床用吸込具から吸引された塵埃が、延長管、可撓性ホースを介して吸込口４から吸塵路12、接続口10、接続口41を経て集塵ケース21内に入り、集塵ケース21内壁に沿って旋回しながら蓋体24方向に流れ、比較的大きな塵埃は蓋体24側から圧縮された状態に堆積していく。
【００２７】
微細な塵埃は空気と共にプレフィルター28を通過するが、メインフィルター23の不織布により濾過され、きれいな空気のみメインフィルター23を通過して吸引路15を経て電動送風機６を通って排気口18から外部に排出される。
【００２８】
集塵装置20内に塵埃が溜まると、集塵装置20の取外操作機構31を操作し、第１のクランプ34及び第２のクランプ37の係止部33、36への係止を外し、集塵装置20を掃除機本体１から取り外す。そして、蓋体24を開放し、回転ハンドル39を回して筒体22を回転させる。
【００２９】
筒体22が回転すると、筒体22外周に設けられた螺旋体26が集塵ケース21内の塵埃押し出すように作用して、塵埃を開口部から集塵ケース21外へ排出し、塵埃の排出作業を容易に行うことができる。また、集塵ケース21内の塵埃がプレフィルター25の外周面に付着した塵埃を拭く作用をするため、プレフィルター25への塵埃の付着による集塵効率の低下を防止することができる。
【００３０】
また、筒体22の回転により、除塵体がメインフィルター23の襞状先端部29を弾き、その振動によりメインフィルター23の不織布に付着した微細な塵埃が弾き落とされて開口部から集塵ケース21外へ排出され、メインフィルター23への塵埃の付着による集塵効率の低下を防止することができる。
【００３１】
掃除機本体１の集塵装置収納室９は、上方になるに従って広くなるように形成されているので、集塵装置20の集塵装置収納室９への装着作業を容易に行うことができ、装着作業性を向上することができる。また、図８に示す如く、集塵装置20の蓋体24が完全に閉まっていない状態で、使用者が誤って掃除機本体１に装着しようとした際には、集塵装置20が集塵装置収納室９内に入り込むに従って蓋体24が集塵装置収納室９後壁面によって押圧されて閉塞され、蓋体24が開放状態のままとなることはない。
【００３２】
また、集塵装置20は掃除機本体１への装着状態で、集塵ケース21の開口部が上方に位置するように傾斜状態に装着されるので、掃除機本体１からの取り外し操作時等に、何らかの原因により蓋体24が開放されても、塵埃が蓋体24側に圧縮状態に堆積することと相まって、集塵装置20内の塵埃が開口部からこぼれ落ちるのを極力防止することができる。
【００３３】
集塵装置20は掃除機本体１への装着状態で、排出口44が後方上部に向かって傾斜するようになっていると共に、電動送風機６を吸気口７が上に向くように装着しているので、吸込口４から集塵装置20への吸塵路12及び集塵装置20から電動送風機６への吸引路15を空気がスムースに流れるよう構成することができ、通気抵抗を低減して吸気効率を向上することができる。
【００３４】
また、集塵ケース21は、開口部を把手30が形成された側面から相対向する側面に向かって漸次狭くなるように形成しているので、集塵ケース21を大きく傾けることなく、開口部を床面に対して略平行にすることができ、集塵装置20内の塵埃の排出を容易にすることができる。
【図面の簡単な説明】
【００３５】
【図１】本発明の一実施の形態を示す断面図である。
【図２】同集塵装置の離脱状態を示す断面図である。
【図３】同他の方向から見た断面図である。
【図４】同集塵装置の断面図である。
【図５】同掃除機本体の上ケースを下方から見た平面図である。
【図６】同掃除機本体の下ケースを上方から見た平面図である。
【図７】同掃除機本体の側面図である。
【図８】同蓋体が開放した状態の集塵装置を装着した際の動作を説明する断面図である。
【符号の説明】
【００３６】
１        掃除機本体
２        上ケース
３        下ケース
４        吸込口
５        電動送風機室
６        電動送風機
７        吸気口
９        集塵装置収納室
10        接続口
11        吸引口
12        吸塵路
15        吸引路
20        集塵装置
21        集塵ケース
22        筒体
23        メインフィルター
24        蓋体
41        接続口
44        排出口
【図１】
0004753990.tif 000002
【図２】
0004753990.tif 000003
【図３】
0004753990.tif 000004
【図４】
0004753990.tif 000005
【図５】
0004753990.tif 000006
【図６】
0004753990.tif 000007
【図７】
0004753990.tif 000008
【図８】
0004753990.tif 000009